(57)【要約】【課題】カートリッジが所望の装着位置に対して位置ズレすることを抑制することができるテープ印刷装置を提供する。【解決手段】装着部カバー５に設けられ、カートリッジがカートリッジ装着部７に装着された状態で装着部カバー５が閉じられたときに、カートリッジを押さえる３つの押え突起１５と、カートリッジがカートリッジ装着部７に装着されるときに、カートリッジが当接するカートリッジ当接部７１を有し、カートリッジがカートリッジ当接部７１に当接することで、突出位置から奥側位置に変位する変位部材５５と、変位部材５５に対して、装着方向手前側に向けて力を付与する弾性部材とを備え、カートリッジ当接部７１は、装着方向手前側から見たときに、装着部カバー５が閉じられた状態で、３つの押え突起１５の各先端部である押え先端部１５ａを頂点とする仮想押え三角形７７の内側に設けられている。【選択図】図１０
2020163608.tif 000002
【特許請求の範囲】
【請求項１】
カートリッジが装着されるカートリッジ装着部と、
前記カートリッジ装着部を開閉する装着部カバーと、
前記装着部カバーに設けられ、前記カートリッジが前記カートリッジ装着部に装着された状態で前記装着部カバーが閉じられたときに、前記カートリッジを押さえる３つの押え突起と、
前記カートリッジが前記カートリッジ装着部に装着されるときに、前記カートリッジが当接するカートリッジ当接部、を有し、前記カートリッジが前記カートリッジ当接部に当接することで、前記カートリッジ装着部の底面である装着底面から突出した突出位置から、前記突出位置に対して前記カートリッジの装着方向奥側に変位した奥側位置に、変位する変位部材と、
前記変位部材に対して、前記装着方向手前側に向けて力を付与する弾性部材と、を備え、
前記カートリッジ当接部は、前記装着方向手前側から見たときに、前記装着部カバーが閉じられた状態で、３つの前記押え突起の各先端部を頂点とする仮想押え三角形の内側に設けられていることを特徴とするテープ印刷装置。
【請求項２】
前記変位部材が前記突出位置に位置するときと、前記変位部材が前記奥側位置に位置するときと、で異なる検出信号を出力するセンサー、を備えたことを特徴とする請求項１に記載のテープ印刷装置。
【請求項３】
前記カートリッジ装着部には、前記カートリッジ装着部に装着されたときに、前記カートリッジ当接部に当接しない非当接カートリッジと、前記カートリッジと、が択一的に装着可能であることを特徴とする請求項２に記載のテープ印刷装置。
【請求項４】
前記カートリッジには、前記カートリッジ装着部に装着されたときに、前記変位部材を、前記突出位置よりも前記装着方向奥側の第１奥側位置に変位させる第１カートリッジと、前記突出位置よりも前記装着方向奥側で前記第１奥側位置よりも前記装着方向手前側の第２奥側位置に変位させる第２カートリッジと、が含まれ、
前記センサーは、前記変位部材が前記第１奥側位置に位置するとき、および前記変位部材が前記第２奥側位置に位置するとき、のいずれも、前記変位部材が前記突出位置に位置するときとは異なる検出信号を出力することを特徴とする請求項２または３に記載のテープ印刷装置。
【請求項５】
前記カートリッジには、インクリボンが巻回された繰出しコアと、前記繰出しコアから繰り出された前記インクリボンを巻き取る巻取りコアと、が収容され、
前記カートリッジ当接部は、前記装着方向手前側から見て、
前記装着底面のうち、前記インクリボンの全体が前記繰出しコアに巻回された前記カートリッジが前記カートリッジ装着部に装着されたときに、前記繰出しコアに巻回された前記インクリボンと重複する繰出し側リボン重複領域と、前記インクリボンの全体が前記巻取りコアに巻き取られた前記カートリッジが前記カートリッジ装着部に装着されたときに、前記巻取りコアに巻回された前記インクリボンと重複する巻取り側リボン重複領域と、から構成されるリボン重複領域に、設けられていることを特徴とする請求項１ないし４のいずれか一項に記載のテープ印刷装置。
【請求項６】
前記装着底面から前記装着方向手前側に突出し、前記カートリッジに設けられたヘッド挿通孔に挿通されるヘッドカバー、を備え、
前記カートリッジ当接部は、前記装着方向手前側から見て、前記ヘッドカバーを通り前記カートリッジの長手方向に延びる仮想線上に設けられていることを特徴とする請求項１ないし５のいずれか一項に記載のテープ印刷装置。
【発明の詳細な説明】
【技術分野】
【０００１】
本発明は、カートリッジが装着されるテープ印刷装置に関するものである。
【背景技術】
【０００２】
従来、特許文献１が開示するように、カセット装着部に小カセットが装着されたときに、小カセットのリール孔に挿通される係合突起、を備えたテープ印字装置が知られている。この係合突起は、カセット装着部の底面に起伏可能に設けられ、バネによってカセット装着部の底面に起立するように力が付与されている。そして、カセット装着部に大カセットが装着されたときには、係合突起が大カセットに押されて突起格納凹部に退避することで、係合突起が大カセットの装着の邪魔とならないようになっている。
【先行技術文献】
【特許文献】
【０００３】
【特許文献１】特開２００１−２７８５１０号公報
【発明の概要】
【発明が解決しようとする課題】
【０００４】
従来のテープ印字装置では、カセット装着部に大カセットが装着されたときに、バネによって起立するように力が付与された係合突起により大カセットが装着方向手前側に押されることで、大カセットが所望の装着位置に対して装着方向手前側に位置ズレするおそれがある。
【課題を解決するための手段】
【０００５】
本発明のテープ印刷装置は、カートリッジが装着されるカートリッジ装着部と、カートリッジ装着部を開閉する装着部カバーと、装着部カバーに設けられ、カートリッジがカートリッジ装着部に装着された状態で装着部カバーが閉じられたときに、カートリッジを押さえる３つの押え突起と、カートリッジがカートリッジ装着部に装着されるときに、カートリッジが当接するカートリッジ当接部、を有し、カートリッジがカートリッジ当接部に当接することで、カートリッジ装着部の底面である装着底面から突出した突出位置から、突出位置に対してカートリッジの装着方向奥側に変位した奥側位置に、変位する変位部材と、変位部材に対して、装着方向手前側に向けて力を付与する弾性部材と、を備え、カートリッジ当接部は、装着方向手前側から見たときに、装着部カバーが閉じられた状態で、３つの押え突起の各先端部を頂点とする仮想押え三角形の内側に設けられている。
【図面の簡単な説明】
【０００６】
【図１】カートリッジ装着部にテープカートリッジが装着された状態のテープ印刷装置を装着方向手前側から見た図である。
【図２】カートリッジ装着部にリボンカートリッジが装着された状態のテープ印刷装置を装着方向手前側から見た図である。
【図３】カートリッジ装着部にテープカートリッジおよびリボンカートリッジのいずれも装着されていない状態のテープ印刷装置を装着方向手前側から見た図である。
【図４】リボンカートリッジの斜視図である。
【図５】リボンカートリッジを装着方向奥側から見た図である。
【図６】カートリッジ装着部にテープカートリッジおよびリボンカートリッジのいずれも装着されていない状態のテープ印刷装置の断面図である。
【図７】カートリッジ装着部に第１リボンカートリッジが装着された状態のテープ印刷装置の断面図である。
【図８】カートリッジ装着部に第２リボンカートリッジが装着された状態のテープ印刷装置の断面図である。
【図９】カートリッジ装着部にテープカートリッジが装着された状態のテープ印刷装置の断面図である。
【図１０】カートリッジ当接部が仮想押え三角形の内側に設けられていることを示す図である。
【図１１】カートリッジ当接部が仮想フック三角形の内側に設けられていることを示す図である。
【図１２】カートリッジ当接部がリボン重複領域に設けられていることを示す図である。
【図１３】カートリッジ当接部がヘッドカバーを通る仮想線上に設けられていることを示す図である。
【図１４】テープ印刷装置の制御系を示すブロック図である。
【図１５】第１センサー、基板接続部および第２センサーから出力された検出信号に基づく制御部の判断結果を示す図である。
【発明を実施するための形態】
【０００７】
以下、添付の図面を参照しつつ、テープ印刷装置の一実施形態について説明する。なお、以下の図面では、ＸＹＺ直交座標系を表示するが、説明の便宜上のものにすぎず、以下の実施形態を何ら限定するものではない。また、各部の個数などを示す数値は、いずれも例示にすぎず、以下の実施形態を何ら限定するものではない。
【０００８】
［テープ印刷装置、テープカートリッジおよびリボンカートリッジの概要］
図１および図２に示すように、テープ印刷装置１は、装置ケース３と、装着部カバー５とを備えている。装置ケース３は、略直方体状に形成されている。装置ケース３の＋Ｚ側の面には、カートリッジ装着部７が設けられている。カートリッジ装着部７には、テープカートリッジ１０１（図１参照）およびリボンカートリッジ２０１（図２参照）が択一的に装着される。なお、テープカートリッジ１０１は、「非当接カートリッジ」の一例であり、リボンカートリッジ２０１は、「カートリッジ」の一例である。
【０００９】
装置ケース３の＋Ｘ側の面には、テープ導入口９が設けられている。テープ導入口９からは、リボンカートリッジ２０１がカートリッジ装着部７に装着されたときに、テープ印刷装置１外に設けられたテープロールから繰り出された第２印刷テープ（図示省略）が、導入される。装置ケース３の−Ｘ側の面には、テープ排出口１１が設けられている。テープ排出口１１からは、カートリッジ装着部７に装着されたテープカートリッジ１０１から繰り出された第１印刷テープ１１３、或いは、テープ導入口９から導入された第２印刷テープ、が排出される。
【００１０】
装着部カバー５は、カートリッジ装着部７を開閉する。装着部カバー５は、＋Ｙ側の端部に設けられたヒンジ部１３を中心として、回動可能に装置ケース３に取り付けられている。装着部カバー５の内側の面には、３つの押え突起１５が設けられている。なお、装着部カバー５の内部には、図示省略したが、キーボードおよびディスプレーが設けられている。キーボードは、文字列等の印刷情報や、印刷実行等の各種指示の入力操作を受け付ける。ディスプレーは、キーボードから入力された印刷情報のほか、各種情報を表示する。
【００１１】
図１に示すように、テープカートリッジ１０１は、テープコア１０３と、第１プラテンローラー１０５と、第１繰出しコア１０７と、第１巻取りコア１０９と、これらを収容した第１カートリッジケース１１１とを備えている。テープコア１０３には、第１印刷テープ１１３が巻回されている。テープコア１０３から繰り出された第１印刷テープ１１３は、第１カートリッジケース１１１の−Ｘ側の周壁部に設けられたテープ送出口（図示省略）から、第１カートリッジケース１１１外へ送り出される。第１繰出しコア１０７には、第１インクリボン１１７が巻回されている。第１繰出しコア１０７から繰り出された第１インクリボン１１７は、第１巻取りコア１０９に巻き取られる。第１カートリッジケース１１１には、第１ヘッド挿通孔１１９が、Ｚ方向に貫通して設けられている。
【００１２】
図２に示すように、リボンカートリッジ２０１は、第２プラテンローラー２０５と、第２繰出しコア２０７と、第２巻取りコア２０９と、これらを収容した第２カートリッジケース２１１とを備えている。第２繰出しコア２０７には、第２インクリボン２１７が巻回されている。第２繰出しコア２０７から繰り出された第２インクリボン２１７は、第２巻取りコア２０９に巻き取られる。第２カートリッジケース２１１には、第２ヘッド挿通孔２１９が、Ｚ方向に貫通して設けられている。また、第２カートリッジケース２１１には、第２テープ経路２２１が設けられている。テープ導入口９から導入された第２印刷テープは、第２テープ経路２２１を通って、テープ排出口１１へ送られる。
【００１３】
ここで、第２インクリボン２１７の全体が第２繰出しコア２０７に巻回されたときに、第２繰出しコア２０７に巻回された第２インクリボン２１７を、最大径繰出し側ロール２２３という。また、第２インクリボン２１７の全体が第２巻取りコア２０９に巻き取られたときに、第２巻取りコア２０９に巻回された第２インクリボン２１７を、最大径巻取り側ロール２２５という。なお、図２では、第２インクリボン２１７の全体が第２繰出しコア２０７に巻回されているが、最大径巻取り側ロール２２５を、仮想的に２点鎖線で示している。
【００１４】
なお、未使用状態のテープロールにおける第２印刷テープの長さおよび未使用状態のリボンカートリッジ２０１に収容された第２インクリボン２１７の長さは、特に限定されるものではないが、本実施形態では、未使用状態のテープカートリッジ１０１に収容された第１印刷テープ１１３の長さおよび第１インクリボン１１７の長さよりも長くなっている。このため、例えば、一度に大量のラベルを作成する場合に、リボンカートリッジ２０１がカートリッジ装着部７に装着される。
【００１５】
［カートリッジ装着部］
図３に示すように、カートリッジ装着部７は、＋Ｚ側が開放された凹状に形成されている。カートリッジ装着部７の底面つまり−Ｚ側の面である装着底面１７には、ヘッド部１９が、＋Ｚ側に突出して設けられている（図６参照）。ヘッド部１９は、印刷ヘッド２１（図６参照）と、印刷ヘッド２１の少なくとも＋Ｘ側、−Ｙ側および＋Ｚ側を覆うヘッドカバー２３とを備えている。印刷ヘッド２１は、発熱素子を備えたサーマルヘッドである。ヘッドカバー２３は、後述するプラテン軸２５と同程度に＋Ｚ側に大きく突出しており、テープカートリッジ１０１がカートリッジ装着部７に装着されるときに、第１ヘッド挿通孔１１９に挿通され、テープカートリッジ１０１の装着をガイドする。また、ヘッドカバー２３は、リボンカートリッジ２０１がカートリッジ装着部７に装着されるときに、第２ヘッド挿通孔２１９に挿通され、リボンカートリッジ２０１の装着をガイドする。
【００１６】
また、装着底面１７には、−Ｘ側から順に、プラテン軸２５と、第１巻取り軸２９と、第１繰出し軸２７と、第２繰出し軸３１と、第２巻取り軸３３とが、＋Ｚ側に突出して設けられている（図６参照）。
【００１７】
プラテン軸２５は、印刷ヘッド２１の＋Ｙ側に設けられている。プラテン軸２５は、第１繰出し軸２７、第１巻取り軸２９、第２繰出し軸３１および第２巻取り軸３３に比べて、＋Ｚ側への突出量が大きい。プラテン軸２５は、テープカートリッジ１０１がカートリッジ装着部７に装着されるときに、第１プラテンローラー１０５に挿通され、ヘッドカバー２３と共に、テープカートリッジ１０１の装着をガイドする。また、プラテン軸２５は、リボンカートリッジ２０１がカートリッジ装着部７に装着されるときに、第２プラテンローラー２０５に挿通され、ヘッドカバー２３と共に、リボンカートリッジ２０１の装着をガイドする。なお、以下では、テープカートリッジ１０１或いはリボンカートリッジ２０１の装着方向を、単に、装着方向という。装着方向は、プラテン軸２５の延びる方向、すなわちＺ方向と平行である。また、装着方向手前側とは、＋Ｚ側を意味し、装着方向奥側とは、−Ｚ側を意味する。
【００１８】
テープカートリッジ１０１がカートリッジ装着部７に装着されると、プラテン軸２５、第１繰出し軸２７および第１巻取り軸２９が、それぞれ、第１プラテンローラー１０５、第１繰出しコア１０７および第１巻取りコア１０９に挿入される（図１参照）。この状態で、装着部カバー５が閉められると、図示省略したヘッド移動機構により、印刷ヘッド２１がプラテン軸２５に向けて移動する。これにより、印刷ヘッド２１と第１プラテンローラー１０５との間に、第１印刷テープ１１３および第１インクリボン１１７が挟持される。テープ印刷装置１は、第１プラテンローラー１０５を回転させることにより第１印刷テープ１１３および第１インクリボン１１７を送りつつ、印刷ヘッド２１を発熱させることにより、キーボード等から入力された印刷情報を第１印刷テープ１１３に印刷する。
【００１９】
また、リボンカートリッジ２０１がカートリッジ装着部７に装着されると、プラテン軸２５、第２繰出し軸３１および第２巻取り軸３３が、それぞれ、第２プラテンローラー２０５、第２繰出しコア２０７および第２巻取りコア２０９に挿入される（図２参照）。この状態で、装着部カバー５が閉められると、ヘッド移動機構により、印刷ヘッド２１がプラテン軸２５に向けて移動する。これにより、印刷ヘッド２１と第２プラテンローラー２０５との間に、第２印刷テープおよび第２インクリボン２１７が挟持される。テープ印刷装置１は、第２プラテンローラー２０５を回転させることにより第２印刷テープおよび第２インクリボン２１７を送りつつ、印刷ヘッド２１を発熱させることにより、キーボード等から入力された印刷情報を第２印刷テープに印刷する。
【００２０】
また、装着底面１７には、装着方向手前側に突出した６つの装着凸部３５が、６箇所に分散して設けられている。すなわち、装着底面１７のうち、テープカートリッジ１０１とリボンカートリッジ２０１とが共通して装着される−Ｘ側の略長方形状の共通領域３７には、４つの装着凸部３５が、４つの隅部に設けられている。また、装着底面１７のうち、リボンカートリッジ２０１のみが装着される＋Ｘ側の略長方形状の非共通領域３９には、２つの装着凸部３５が、＋Ｘ側且つ−Ｙ側の隅部と、＋Ｙ側の端部且つＸ方向略中間部と、の２箇所に設けられている。これら６つの装着凸部３５は、後述するように、収容された第１印刷テープ１１３或いは第２印刷テープの幅に応じて、テープカートリッジ１０１或いはリボンカートリッジ２０１の装着方向における装着位置を調整するためのものである。
【００２１】
また、装着底面１７には、装着方向手前側に突出した４つのフック４１が、４箇所に分散して設けられている。すなわち、共通領域３７には、２つのフック４１が、−Ｘ側の端部且つＹ方向略中間部と、＋Ｘ側の端部且つＹ方向略中間部と、の２箇所に設けられている。また、非共通領域３９には、２つのフック４１が、−Ｙ側の端部且つＸ方向略中間部と、＋Ｘ側の端部且つＹ方向略中間部と、の２箇所に設けられている。
【００２２】
共通領域３７に設けられた２つのフック４１は、テープカートリッジ１０１がカートリッジ装着部７に装着されたときに、テープカートリッジ１０１に設けられた２つの第１フック係合部（図示省略）と係合する。これにより、カートリッジ装着部７に装着されたテープカートリッジ１０１が保持される。また、共通領域３７に設けられた２つのフック４１のうち−Ｘ側のフック４１と、非共通領域３９に設けられた２つのフック４１との合計３つのフック４１は、リボンカートリッジ２０１がカートリッジ装着部７に装着されたときに、リボンカートリッジ２０１に設けられた３つの第２フック係合部２３１（図４および図５参照）と係合する。これにより、カートリッジ装着部７に装着されたリボンカートリッジ２０１が保持される。
【００２３】
さらに、装着底面１７には、第１検出部４３と、第２検出部４５とが設けられている。第１検出部４３は、共通領域３７において、第１繰出し軸２７の−Ｙ側に設けられている。第１検出部４３は、第１センサー４７（図１４参照）と、装着底面１７から突出した３つの突出部材４９を備えている。第１センサー４７としては、例えば、マイクロスイッチなどのメカ式スイッチを用いることができる。３つの突出部材４９は、装着方向に変位可能に構成されており、テープカートリッジ１０１或いはリボンカートリッジ２０１がカートリッジ装着部７に装着されたときに、少なくとも１つの突出部材４９が、テープカートリッジ１０１或いはリボンカートリッジ２０１に押されて装着方向奥側に変位する。これにより、第１センサー４７は、テープカートリッジ１０１或いはリボンカートリッジ２０１がカートリッジ装着部７に装着されたか否かに応じて、異なる検出信号を出力する。ここでは、カートリッジ装着部７にテープカートリッジ１０１或いはリボンカートリッジ２０１が装着されたときに、第１センサー４７が出力する検出信号を、「１」という。一方、カートリッジ装着部７にテープカートリッジ１０１およびリボンカートリッジ２０１のいずれも装着されていないときに、第１センサー４７が出力する検出信号を、「０」という。
【００２４】
なお、テープカートリッジ１０１は、収容された第１印刷テープ１１３の幅に応じて、３つの突出部材４９を異なる組合せで装着方向奥側に変位させる。このため、第１検出部４３は、装着されたテープカートリッジ１０１に収容された第１印刷テープ１１３の幅に応じて、異なる信号を出力する。同様に、リボンカートリッジ２０１は、収容された第２印刷テープの幅に応じて、３つの突出部材４９を異なる組合せで装着方向奥側に変位させる。このため、第１検出部４３は、装着されたリボンカートリッジ２０１に収容された第２印刷テープの幅に応じて、異なる信号を出力する。
【００２５】
第２検出部４５は、非共通領域３９において、第２巻取り軸３３の−Ｙ側に設けられている。第２検出部４５については、後述する。
【００２６】
また、カートリッジ装着部７のうち、共通領域３７の＋Ｘ側を囲む内周面には、基板接続部５１が設けられている。基板接続部５１は、リボンカートリッジ２０１がカートリッジ装着部７に装着されたときに、リボンカートリッジ２０１に設けられた回路基板２４１（図４参照）と接続される。そのため、基板接続部５１は、リボンカートリッジ２０１が装着されたか否かにより、異なる検出信号を出力する。ここでは、カートリッジ装着部７にリボンカートリッジ２０１が装着されたときに、基板接続部５１が出力する検出信号を、「１」という。一方、カートリッジ装着部７にリボンカートリッジ２０１が装着されていないときに、基板接続部５１が出力する検出信号を、「０」という。
【００２７】
一方、テープカートリッジ１０１には、回路基板２４１は設けられていない。そのため、基板接続部５１は、テープカートリッジ１０１が装着されたときには、テープカートリッジ１０１およびリボンカートリッジ２０１のいずれも装着されていないときと同様に、検出信号「０」を出力する。なお、回路基板２４１には、例えば、第２印刷テープの色、第２インクリボン２１７の色、第２印刷テープおよび第２インクリボン２１７の残量、などの各種情報が記憶され、また、各種情報が書き込まれる。
【００２８】
［リボンカートリッジ］
リボンカートリッジ２０１には、幅の広い、例えば５０ｍｍ幅の、第２インクリボン２１７が収容された第１リボンカートリッジ２０１ａ（図７参照）と、幅の狭い、例えば２４ｍｍ幅の、第２インクリボン２１７が収容された第２リボンカートリッジ２０１ｂ（図８参照）とが用意されている。なお、第１リボンカートリッジ２０１ａと第２リボンカートリッジ２０１ｂとを特に区別しない場合には、単にリボンカートリッジ２０１という。第１リボンカートリッジ２０１ａと第２リボンカートリッジ２０１ｂとは、略同様に構成されおり、共通の構成については、第１リボンカートリッジ２０１ａの図面で代表して説明する。
【００２９】
図２および図４に示すように、リボンカートリッジ２０１は、装着方向手前側から見て、Ｘ方向に長い形状に形成されている。第２カートリッジケース２１１の装着方向手前側の壁部である手前側壁部２２７には、装着方向奥側に凹んだ３つの押え凹部２２９が設けられている。３つの押え凹部２２９は、それぞれ、装着部カバー５に設けられた３つの押え突起１５に対応する位置に設けられている。また、３つの押え凹部２２９は、装着方向手前側から見て、第２繰出しコア２０７および第２巻取りコア２０９を囲むように設けられている。
【００３０】
リボンカートリッジ２０１がカートリッジ装着部７に装着された状態で、装着部カバー５が閉められると、装着部カバー５に設けられた３つの押え突起１５が、それぞれ、３つの押え凹部２２９の底面、すなわち装着方向奥側の面、に突き当たる。このため、リボンカートリッジ２０１が、３つの押え突起１５により、装着方向奥側に押さえられる。
【００３１】
また、第２カートリッジケース２１１の周壁部には、３つの第２フック係合部２３１が設けられている。リボンカートリッジ２０１がカートリッジ装着部７に装着されると、３つの第２フック係合部２３１が、上述したように、カートリッジ装着部７に設けられた４つのフック４１のうちの３つのフック４１と係合する。
【００３２】
図５に示すように、第１リボンカートリッジ２０１ａでは、第２カートリッジケース２１１の装着方向奥側の壁部である奥側壁部２３３に、装着底面１７の６箇所に設けられた装着凸部３５に対応して、装着方向手前側に凹んだ６つのケース凹部２３５が設けられている。このため、第１リボンカートリッジ２０１ａがカートリッジ装着部７に装着されると、装着凸部３５がケース凹部２３５によって避けられ、奥側壁部２３３が装着底面１７と接した状態となる（図７参照）。
【００３３】
一方、図示省略したが、第２リボンカートリッジ２０１ｂでは、奥側壁部２３３に、ケース凹部２３５のような凹部が設けられていない。このため、第２リボンカートリッジ２０１ｂがカートリッジ装着部７に装着されると、奥側壁部２３３において６つの装着凸部３５に対応する６箇所が、装着凸部３５上に乗るようにして装着され、奥側壁部２３３と装着底面１７との間に隙間が生じ、奥側壁部２３３が装着底面１７から浮いた状態となる（図８参照）。
【００３４】
なお、第２リボンカートリッジ２０１ｂは、第１リボンカートリッジ２０１ａに比べ、カートリッジ装着部７の装着方向奥側に装着されるため、第２カートリッジケース２１１の周壁部を把持しただけではカートリッジ装着部７から取り外すことが比較的難しい。そのため、図８に示すように、第２リボンカートリッジ２０１ｂでは、手前側壁部２２７に、カートリッジ装着部７から取り外す際に指を掛けるための指掛け部２３７が設けられている。指掛け部２３７は、略リング状に形成されており、手前側壁部２２７の略中央部に設けられた指掛け取付部２３９に回動可能に取り付けられている。ユーザーは、指掛け部２３７に指を掛けて第２リボンカートリッジ２０１ｂを引き上げることで、第２リボンカートリッジ２０１ｂをカートリッジ装着部７から容易に取り外すことができる。
【００３５】
［第２検出部］
図６に示すように、第２検出部４５は、第２センサー５３と、変位部材５５と、検出バネ５７とを備えている。第２センサー５３は、カートリッジ装着部７の装着方向奥側に内蔵されている。第２センサー５３としては、例えば、マイクロスイッチなどのメカ式スイッチを用いることができる。
【００３６】
変位部材５５は、第２センサー５３の−Ｘ側に設けられている。変位部材５５は、−Ｙ側から見て略「Ｌ」字状に形成されており、Ｘ方向に延在する第１変位部５９と、第１変位部５９の＋Ｘ側の端部から装着方向手前側に屈曲して延びる第２変位部６１とを備えている。変位部材５５は、検出軸６３に回動可能に支持されている。検出軸６３は、Ｙ方向に延在しており、第１変位部５９の−Ｘ側の端部に挿通されている。変位部材５５は、検出軸６３を中心に回動することで、装着方向に変位する。
【００３７】
第１変位部５９の＋Ｘ側の端部には、第２センサー５３と係合するセンサー係合部６５が設けられている。検出軸６３とセンサー係合部６５との略中間部には、バネ掛止部６７が設けられている。第２変位部６１は、変位部材５５が回動することで、装着底面１７に設けられた検出開口６９（図３参照）から出没する。第２変位部６１の装着方向手前側の端部には、カートリッジ当接部７１が設けられている。カートリッジ当接部７１には、リボンカートリッジ２０１がカートリッジ装着部７に装着されるときに、第２カートリッジケース２１１の奥側壁部２３３が当接する。
【００３８】
検出バネ５７は、検出軸６３に設けられ、その一端がバネ掛止部６７に掛止めされている。検出バネ５７としては、例えば、ねじりコイルバネを用いることができる。検出バネ５７は、変位部材５５に対し、第１方向７３に回動するように、すなわち装着方向手前側に変位するように、力を付与している。ここで、第１方向７３とは、−Ｙ側から見て、反時計回りを意味する。なお、検出バネ５７は、「弾性部材」の一例である。
【００３９】
図６に示すように、リボンカートリッジ２０１がカートリッジ装着部７に装着されていない状態では、変位部材５５は検出バネ５７により第１方向７３に力が付与されているため、第２変位部６１が装着底面１７より装着方向手前側に突出している。このときの変位部材５５の位置を、突出位置という。変位部材５５が突出位置に位置する状態では、センサー係合部６５が第２センサー５３と係合する。このとき、第２センサー５３が出力する検出信号を、「０」という。
【００４０】
第１リボンカートリッジ２０１ａがカートリッジ装着部７に装着されると、図６に示した状態から、第１リボンカートリッジ２０１ａの奥側壁部２３３がカートリッジ当接部７１に当接し、第１リボンカートリッジ２０１ａにより装着方向奥側に押された変位部材５５が、検出バネ５７に抗して、第１方向７３とは反対の第２方向７５に回動することで、図７に示した状態となる。第２方向７５とは、−Ｙ側から見て、時計回りを意味する。
【００４１】
上述したように、第１リボンカートリッジ２０１ａがカートリッジ装着部７に装着されると、奥側壁部２３３が装着底面１７と接した状態となる。このため、第２変位部６１は、装着底面１７から装着方向奥側に没入する。このときの変位部材５５の位置を、第１奥側位置という。変位部材５５が第１奥側位置に位置する状態では、センサー係合部６５が第２センサー５３から装着方向奥側に離れている。このとき、第２センサー５３が出力する検出信号を、「１」という。
【００４２】
また、第２リボンカートリッジ２０１ｂがカートリッジ装着部７に装着されると、図６に示した状態から、第２リボンカートリッジ２０１ｂの奥側壁部２３３がカートリッジ当接部７１に当接し、第２リボンカートリッジ２０１ｂにより装着方向奥側に押された変位部材５５が、検出バネ５７に抗して、第２方向７５に回動することで、図８に示した状態となる。上述したように、第２リボンカートリッジ２０１ｂがカートリッジ装着部７に装着されると、奥側壁部２３３が装着底面１７から浮いた状態となる。このため、第２変位部６１は、装着底面１７から装着方向奥側に没入するが、一部が装着底面１７から装着方向手前側に突出したままとなる。このときの変位部材５５の位置を、第２奥側位置という。第２奥側位置は、突出位置よりも装着方向奥側であるが、第１奥側位置よりは装着方向手前側である。変位部材５５が第２奥側位置に位置する状態では、センサー係合部６５が第２センサー５３から装着方向奥側に離れている。このため、第２センサー５３は、第１リボンカートリッジ２０１ａがカートリッジ装着部７に装着された場合と同様に、検出信号として「１」を出力する。
【００４３】
なお、テープカートリッジ１０１がカートリッジ装着部７に装着されたときには、図９に示すように、テープカートリッジ１０１がカートリッジ当接部７１に当接しないため、変位部材５５が突出位置に位置したままとなる。このため、第２センサー５３は、テープカートリッジ１０１およびリボンカートリッジ２０１のいずれもカートリッジ装着部７に装着されていない場合と同様に、検出信号として「０」を出力する。
【００４４】
ここで、図１０に示すように、カートリッジ当接部７１は、装着方向手前側から見て、仮想押え三角形７７の内側に設けられている。ここで、仮想押え三角形７７とは、装着部カバー５が閉められた状態で、３つの押え突起１５の各先端部である押え先端部１５ａを頂点とする仮想的な三角形を意味する。カートリッジ装着部７に装着されたリボンカートリッジ２０１は、装着方向手前側から見たときに、カートリッジ当接部７１を取り囲む３箇所で、３つの押え突起１５により押さえられる。したがって、検出バネ５７によって装着方向手前側に向けて力が付与された変位部材５５により装着方向手前側に押されたリボンカートリッジ２０１が、所望の装着位置に対して装着方向手前側に位置ズレすることを抑制することができる。なお、図１０では、装着部カバー５が開けられているが、装着部カバー５が閉められた状態の押え先端部１５ａを、仮想的に１点鎖線の円で示している。
【００４５】
図１１に示すように、カートリッジ当接部７１は、装着方向手前側から見て、仮想フック三角形７９の内側、すなわち、仮想フック三角形７９と重複する範囲内に設けられている。ここで、仮想フック三角形７９とは、リボンカートリッジ２０１に設けられた３つの第２フック係合部２３１と係合する３つのフック４１の各先端部を頂点とする仮想的な三角形を意味する。カートリッジ装着部７に装着されたリボンカートリッジ２０１は、装着方向手前側から見たときに、カートリッジ当接部７１を取り囲む３箇所で、３つのフック４１により保持される。したがって、この構成によっても、変位部材５５により装着方向手前側に押されたリボンカートリッジ２０１が、所望の装着位置に対して装着方向手前側に位置ズレすることを抑制することができる。
【００４６】
図１２に示すように、カートリッジ当接部７１は、装着方向手前側から見て、リボン重複領域８１に設けられている。ここで、リボン重複領域８１とは、装着方向手前側から見て、装着底面１７のうち、最大径繰出し側ロール２２３（図２参照）と重複する繰出し側リボン重複領域８３と、最大径巻取り側ロール２２５（図２参照）と重複する巻取り側リボン重複領域８５と、から構成される領域である。このとき、変位部材５５の装着方向手前側に、第２繰出しコア２０７或いは第２巻取りコア２０９に巻回された第２インクリボン２１７が位置することになるため、変位部材５５によりリボンカートリッジ２０１を装着方向手前側に押す力が、巻回された第２インクリボン２１７の重さにより相殺される。したがって、この構成によっても、変位部材５５により装着方向手前側に押されたリボンカートリッジ２０１が、所望の装着位置に対して装着方向手前側に位置ズレすることを抑制することができる。なお、図１２では、繰出し側リボン重複領域８３と巻取り側リボン重複領域８５とが一部重複しているが、繰出し側リボン重複領域８３と巻取り側リボン重複領域８５とが重複しておらず、互いに離れていてもよい。
【００４７】
図１３に示すように、カートリッジ当接部７１は、装着方向手前側から見て、ヘッドカバー２３を通りリボンカートリッジ２０１の長手方向すなわちＸ方向に延びる仮想線８７上に、設けられている。このように、カートリッジ当接部７１が、リボンカートリッジ２０１の長手方向において、装着方向手前側に大きく突出したヘッドカバー２３と重複する位置に設けられているため、リボンカートリッジ２０１がその長手方向に傾くことが抑制される。したがって、この構成によっても、変位部材５５により装着方向手前側に押されたリボンカートリッジ２０１が、所望の装着位置に対して装着方向手前側に位置ズレすることを抑制することができる。
【００４８】
［制御部］
図１４に示すように、テープ印刷装置１は、制御部９１を備えている。制御部９１は、テープ印刷装置１の各部を統括的に制御する。制御部９１は、ＣＰＵ（Central Processing Unit）に代表されるプロセッサー９３と、ＲＡＭ９５（Random Access Memory）、ＲＯＭ９７（Read Only Memory）などの各種メモリーとを備えている。プロセッサー９３は、ＲＯＭ９７に記憶された制御プログラムを読み出し、ＲＡＭ９５を用いて実行する。
【００４９】
図１５に示すように、制御部９１は、第１センサー４７から出力された検出信号、基板接続部５１から出力された検出信号、および第２センサー５３から出力された検出信号の組合せに基づいて、カートリッジ装着部７にテープカートリッジ１０１或いはリボンカートリッジ２０１が適切に装着されているか否かを判断する。以下では、説明の便宜上、これらの検出信号の組合せを、例えば、第１センサー４７から出力された検出信号が「０」、基板接続部５１から出力された検出信号が「１」、第２センサー５３から出力された検出信号が「０」の場合に、「０，１，０」として記載する。
【００５０】
制御部９１は、検出信号の組合せが「０，０，０」のときには、カートリッジ装着部７にテープカートリッジ１０１およびリボンカートリッジ２０１のいずれも装着されていないと判断する。制御部９１は、検出信号の組合せが「１，０，０」のときには、カートリッジ装着部７にテープカートリッジ１０１が適切に装着されていると判断する。制御部９１は、検出信号の組合せが「１，１，１」のときには、カートリッジ装着部７にリボンカートリッジ２０１が適切に装着されていると判断する。制御部９１は、検出信号の組合せが「１，０，１」のときには、リボンカートリッジ２０１に設けられた回路基板２４１が異常であると判断する。制御部９１は、検出信号の組合せが「１，１，０」、「０，１，１」、「０，１，０」および「０，０，１」のいずれかであるときには、カートリッジ装着部７にリボンカートリッジ２０１が装着されたが、装着異常であると判断する。なお、制御部９１は、これらの判断結果や各判断結果に関連するメッセージを、ディスプレー等の報知手段に報知させてもよい。また、各検出信号は、「１」と「０」とが逆でもよいし、「１」および「０」に代わる情報で表現されてもよい。
【００５１】
以上のように、本実施形態のテープ印刷装置１によれば、カートリッジ当接部７１が、仮想押え三角形７７の内側に設けられていることで、変位部材５５によりリボンカートリッジ２０１が装着方向手前側に押されても、リボンカートリッジ２０１が所望の装着位置に対して装着方向手前側に位置ズレすることを抑制することができる。それゆえ、第２印刷テープに対して適切な位置に印刷を行うことができ、また、第２印刷テープおよび第２インクリボン２１７を精度良く送ることができる。
【００５２】
［その他の変形例］
上記の実施形態に限定されず、その趣旨を逸脱しない範囲で種々の構成を採用可能であることは言うまでもない。例えば、上記の実施形態は、上述したほか、以下のような形態に変更することができる。
【００５３】
装着部カバー５には、装着部カバー５が閉められたときに、カートリッジ装着部７に装着されたリボンカートリッジ２０１を押さえる押え突起１５が、４つ以上設けられていてもよい。すなわち、４つ以上の押え突起１５のうち、任意の３つの押え突起１５の各先端部を頂点とする仮想押え三角形７７の内側に、カートリッジ当接部７１が設けられていればよい。
【００５４】
変位部材５５は、回動する構成に限定されず、例えば、装着方向に平行移動する構成でもよい。
【００５５】
カートリッジ装着部７は、テープカートリッジ１０１とリボンカートリッジ２０１とが択一的に装着される構成に限定されず、リボンカートリッジ２０１のみが装着される構成でもよい。また、リボンカートリッジ２０１は、テープカートリッジ１０１と同様に、印刷対象となるテープが収容された構成でもよい。
また、上記した実施形態や変形例を、それぞれ組み合わせた構成でもよい。
【００５６】
［付記］
以下、テープ印刷装置について付記する。
テープ印刷装置は、カートリッジが装着されるカートリッジ装着部と、カートリッジ装着部を開閉する装着部カバーと、装着部カバーに設けられ、カートリッジがカートリッジ装着部に装着された状態で装着部カバーが閉じられたときに、カートリッジを押さえる３つの押え突起と、カートリッジがカートリッジ装着部に装着されるときに、カートリッジが当接するカートリッジ当接部、を有し、カートリッジがカートリッジ当接部に当接することで、カートリッジ装着部の底面である装着底面から突出した突出位置から、突出位置に対してカートリッジの装着方向奥側に変位した奥側位置に、変位する変位部材と、変位部材に対して、装着方向手前側に向けて力を付与する弾性部材と、を備え、カートリッジ当接部は、装着方向手前側から見たときに、装着部カバーが閉じられた状態で、３つの押え突起の各先端部を頂点とする仮想押え三角形の内側に設けられている。
【００５７】
この構成によれば、カートリッジ装着部に装着されたカートリッジは、装着方向手前側から見たときに、カートリッジ当接部を取り囲む３箇所で、３つの押え突起により押さえられる。したがって、弾性部材によって装着方向手前側に向けて力が付与された変位部材により装着方向手前側に押されたカートリッジが、所望の装着位置に対して装着方向手前側に位置ズレすることを抑制することができる。
【００５８】
この場合、変位部材が突出位置に位置するときと、変位部材が奥側位置に位置するときと、で異なる検出信号を出力するセンサー、を備えたことが好ましい。
【００５９】
この構成よれば、センサーから出力された検出信号に基づいて、カートリッジ装着部にカートリッジが装着されたか否かを検出することができる。
【００６０】
この場合、カートリッジ装着部には、カートリッジ装着部に装着されたときに、カートリッジ当接部に当接しない非当接カートリッジと、カートリッジと、が択一的に装着可能であることが好ましい。
【００６１】
この構成によれば、センサーから出力された検出信号に基づいて、カートリッジ装着部に、非当接カートリッジではなく、カートリッジが装着されたことを検出することができる。
【００６２】
この場合、カートリッジには、カートリッジ装着部に装着されたときに、変位部材を、突出位置よりも装着方向奥側の第１奥側位置に変位させる第１カートリッジと、突出位置よりも装着方向奥側で第１奥側位置よりも装着方向手前側の第２奥側位置に変位させる第２カートリッジと、が含まれ、センサーは、変位部材が第１奥側位置に位置するとき、および変位部材が第２奥側位置に位置するとき、のいずれも、変位部材が突出位置に位置するときとは異なる検出信号を出力することが好ましい。
【００６３】
この構成によれば、カートリッジ装着部に第１カートリッジおよび第２カートリッジのいずれが装着された場合にも、カートリッジ装着部に装着されたことを検出することができる。
【００６４】
この場合、カートリッジには、インクリボンが巻回された繰出しコアと、繰出しコアから繰り出されたインクリボンを巻き取る巻取りコアと、が収容され、カートリッジ当接部は、装着方向手前側から見て、装着底面のうち、インクリボンの全体が繰出しコアに巻回されたカートリッジがカートリッジ装着部に装着されたときに、繰出しコアに巻回されたインクリボンと重複する繰出し側リボン重複領域と、インクリボンの全体が巻取りコアに巻き取られたカートリッジがカートリッジ装着部に装着されたときに、巻取りコアに巻回されたインクリボンと重複する巻取り側リボン重複領域と、から構成されるリボン重複領域に、設けられていることが好ましい。
【００６５】
この構成によれば、変位部材によりカートリッジを装着方向手前側に押す力が、巻回されたインクリボンの重さにより相殺される。したがって、変位部材により装着方向手前側に押されたカートリッジが、所望の装着位置に対して装着方向手前側に位置ズレすることを、より効果的に抑制することができる。
【００６６】
この場合、装着底面から装着方向手前側に突出し、カートリッジに設けられたヘッド挿通孔に挿通されるヘッドカバー、を備え、カートリッジ当接部は、装着方向手前側から見て、ヘッドカバーを通りカートリッジの長手方向に延びる仮想線上に設けられていることが好ましい。
【００６７】
この構成によれば、したがって、変位部材により装着方向手前側に押されたカートリッジが、カートリッジの長手方向に傾くことが抑制されるため、所望の装着位置に対して装着方向手前側に位置ズレすることを、より効果的に抑制することができる。
【符号の説明】
【００６８】
１…テープ印刷装置、５…装着部カバー、７…カートリッジ装着部、１５…押え突起、１５ａ…押え先端部、２３…ヘッドカバー、５３…第２センサー、５５…変位部材、５７…検出バネ、７１…カートリッジ当接部、７７…仮想押え三角形、８１…リボン重複領域、８３…繰出し側リボン重複領域、８５…巻取り側リボン重複領域、８７…仮想線、１０１…テープカートリッジ、２０１…リボンカートリッジ、２０１ａ…第１リボンカートリッジ、２０１ｂ…第２リボンカートリッジ、２０７…第２繰出しコア、２０９…第２巻取りコア、２１７…第２インクリボン、２１９…第２ヘッド挿通孔。
【図１】
2020163608.tif 000003
【図２】
2020163608.tif 000004
【図３】
2020163608.tif 000005
【図４】
2020163608.tif 000006
【図５】
2020163608.tif 000007
【図６】
2020163608.tif 000008
【図７】
2020163608.tif 000009
【図８】
2020163608.tif 000010
【図９】
2020163608.tif 000011
【図１０】
2020163608.tif 000012
【図１１】
2020163608.tif 000013
【図１２】
2020163608.tif 000014
【図１３】
2020163608.tif 000015
【図１４】
2020163608.tif 000016
【図１５】
2020163608.tif 000017